(57)【要約】【課題】  空気中の浮遊粒子を分解し浄化する二酸化メタン光触媒の扇風機構造を提供する。【解決手段】  二酸化メタン光触媒の扇風機構造は、基台１、プロペラ２、後フィルター３及び前フィルター４から構成され、プロペラ２の正面及び背面には二酸化メタン層２２が塗布される。また後フィルター３及び前フィルター４の表面全体にも二酸化メタン層３２、４２が塗布される。後フィルター３内最上縁には発光体台３３が設置され、その発光体台３３内には発光体３４が設置される。発光体３４が光ることによって、二酸化メタン層２２、３２、４２と浮遊粒子に分解作用が発生する。【選択図】  図１
0003105158.tif 000002
【実用新案登録請求の範囲】
【請求項１】
基台、プロペラ、後フィルター及び前フィルターから構成され、基台にはモーターが設置され、そのモーターには回転軸が設置され、プロペラが回転軸上に設置され、後フィルターはモーター上に設置され、前フィルター及び後フィルターが相互に結合する二酸化メタン光触媒の扇風機構造において、
プロペラの正面及び背面に二酸化メタン層が塗布され、後フィルター及び前フィルターの表面全体にも同じく二酸化メタン層が塗布され、前、後フィルター内には発光体が設置されて発光することを特徴とする二酸化メタン光触媒の扇風機構造。
【請求項２】
前記後フィルターは、内部の適する箇所に発光体台が設置され、そこに発光体が納置されることを特徴とする請求項１記載の二酸化メタン光触媒の扇風機構造。
【考案の詳細な説明】
【技術分野】
【０００１】
本考案は、二酸化メタン光触媒の扇風機構造に関するものであり、空気浄化に効果がある。
【背景技術】
【０００２】
今日、一般家庭及びオフィスでは冷房設備を設置する。しかし、冷房設備は電力消費量が高く、更に環境保護に適していない。また、冷房中には室内を密閉しなければならないので、通気が悪くなって細菌が繁殖しやすい環境になり、病気になりやすい。エネルギーの節約、環境保護、そして健康のために扇風機を使用すると空気の流通はよくなるが、扇風機の機能は風を送るだけで空気を清浄する機能はない。そのため、空気中に大量の細菌粒子が浮遊している場合、浄化はできない。そのため、新たに空気清浄機を購入しなければならず、購入費用が嵩むことになる。
【０００３】
そこで、「光触媒式の扇風機」が市場に出ており、これによって空気を浄化することができる。この扇風機は、主に本体内にモーターが設置され、そのモーターの回転軸上にプロペラが設置される。そのプロペラの後方の適する位置にライト器具が設置される。そのライト器具は光触媒のライト管であり、外縁カバーにガラス繊維カバー管が設置され、そのガラス繊維カバー管には光触媒膜層が含まれる。扇風機を始動させると、モーターが回転し、回転軸がプロペラを動かして風を送る。同時にライト器具もまた発光する。その発した光がガラス繊維カバーから投射され、ガラス繊維カバー表面の光触媒層で分解作用が発生し、空気中の浮遊粒子を分解して消し、空気を浄化する。そしてその空気が扇風機のプロペラによって送り出され、室内を浄化する。しかしながら、この光触媒式扇風機には下述の問題がある。
【考案の開示】
【考案が解決しようとする課題】
【０００４】
上述の構造はライト器具上に別にガラス繊維カバーを設置しなければならず、ガラス繊維カバー管上には触媒メタン膜層が塗布される。このライト器具は高価であり、一定時間使用すると、ライト器具は明るさが落ち、その後使用できなくなる。そうなると、新しいライト器具を購入しなければならず、費用がかかるため、この触媒扇風機は一般に受け入れられていない。また、触媒メッキ膜層はライト器具のガラス繊維カバー表面に塗布されているだけなので、分解作用発生の面積は小さく、室内が広い場合、効果は低くなり、空気中の浮遊粒子が分解されないまま、扇風機から送り出されるため、理想的でない。
本考案の目的は、空気中の浮遊粒子を分解し浄化する二酸化メタン光触媒の扇風機構造を提供することにある。
【課題を解決するための手段】
【０００５】
本考案による二酸化メタン光触媒の扇風機構造は、基台、プロペラ、後フィルター及び前フィルターから構成され、プロペラの正面及び背面には二酸化メタン層が塗布される。また後フィルター及び前フィルターの表面全体にも二酸化メタン層が塗布される。後フィルター内最上縁には発光体台が設置され、その発光体台内には発光体が設置される。発光体が光ることによって、二酸化メタン層と浮遊粒子に分解作用が発生することを特徴とする。
【０００６】
本考案の二酸化メタン光触媒の扇風機構造は、空気中の浮遊粒子を分解し、浄化するという利点がある。
【考案を実施するための最良の形態】
【０００７】
図１に示すとおり、本考案の一実施例による二酸化メタン光触媒の扇風機構造は主に基台１、プロペラ２、後フィルター３、前フィルター４から構成される。
基台１は、上方にモーター１１が設置され、そのモーター１１には突出した回転軸１２が設置される。
【０００８】
プロペラ２は、モーター１１の回転軸１２上に設置され、そのプロペラ２には接合部２１が設置される。またプロペラ２の正面及び背面には二酸化メタン層２２が塗布され、その二酸化メタン層２２は感光材とし、明るい光源を当てただけで、二酸化メタン層２２が黴菌などの浮遊粒子を分解する機能を具える。
【０００９】
後フィルター３は、モーター１１上に固定され、その後フィルター１１の周辺縁には接合縁３１が成形される。また後フィルター３の表面全体には二酸化メタン層３２が塗布され、後フィルター３内の最上縁には、発光体台３３が設置される。その発光体台３３内には発光体３４が納置されて発光する。
【００１０】
前フィルター４は後フィルター３の接合縁３１上に嵌合され、前フィルター４には後フィルター３の接合縁３１花序に対応する箇所に複数の嵌入凸４１が成形され、表面全体には同じく二酸化メタン層４２が塗布される。
組立時、図２に示すとおり、後フィルター３をモーター１１周辺縁上に設置し、次に前フィルター４の嵌入凸４１を後フィルター３の接合縁３１上に嵌入し、前、後フィルター３、４を連結して固定する。
【００１１】
使用時、図３に示すとおり、モーターを始動すると、モーター１１が回転軸１２を動かしてプロペラを回転させる。同時に発光体台３３の発光体３４が通電して発光する。それは僅かに０．１Ｗの明度であるが、前、後フィルター４、３及びプロペラ２上に塗布された二酸化メタン層３２、４２、２２と、空気中のばい菌などの浮遊粒子が分解作用を発生し、プラペラ２が回転すると、空気は後から前へ送り出される。空気は先ず、後フィルター３から進入し、その表面の二酸化メタン層３２と一次分解作用を起こし、次にはプロペラ２へ達し、プロペラ２の正面及び背面の二酸化メタン層２２で二次分解を起こす。最後に前フィルター４から送り出される時、その表面の二酸化メタン層４２で三次分解作用を発生する。このように三度の分解作用によって、前、後フィルター４、３及びプロペラ２上の二酸化メタン層３２、４２、２２等の大面積との接触で完全に徹底して分解し、扇風機から吹きだす空気の浮遊粒子を完全に浄化する。
【図面の簡単な説明】
【００１２】
【図１】本考案の一実施例による二酸化メタン光触媒の扇風機構造を示す立体分解図である。
【図２】本考案の一実施例による二酸化メタン光触媒の扇風機構造を示す立体組立図である。
【図３】本考案の一実施例による二酸化メタン光触媒の扇風機構造の使用状態を示す模式図である。
【符号の説明】
【００１３】
１  基台、２  プロペラ、３  後フィルター、４  前フィルター、１１  モーター、１２  回転軸、２１  接合部、２２  二酸化メタン層、３１  接合縁、３２  二酸化メタン層、３３  発光体台、３４  発光体、４１  嵌合凸、４２  二酸化メタン層
【図１】
0003105158.tif 000003
【図２】
0003105158.tif 000004
【図３】
0003105158.tif 000005